(57)【特許請求の範囲】
【請求項１】
車両の座席に載置する基台と、座面を有する座部材と、アームレストとを備えたブースタシートにおいて、前記座面の高さを高くしたときそれに対応させて前記アームレスト間の間隔を狭くし、前記座面の高さを低くしたときそれに対応させて前記アームレスト間の間隔を広くするアームレスト・座面連動機構を備えたブースタシートであって、
前記アームレスト・座面連動機構が、長手方向に対して直角な方向へ先端に向かって先細に傾斜する楔状ブロックを複数個突設した１対の側部材と、該１対の側部材の上方に形成されたアームレストと、前記楔状ブロックの傾斜に対応した傾斜部を底部に有する座部材と、から構成され、前記１対の側部材を該楔状ブロックが対向するようにかつ該基台の幅方向へ移動可能にそれぞれ前記基台の両側部に設置するとともに、該両側部材の楔状ブロックの上に前記座部材を載置させて成るものであることを特徴とするブースタシート。
【請求項２】
車両の座席に載置する基台と、アームレスト嵌挿孔があけられた座面および前記座面の裏側の前後左右４箇所で下方に延設された筒状突起を有する座部材と、前記基台の左右に設けられた軸受部により下端が左右方向に回動自在に支持された左右のアームレストと、側面の前後左右にそれぞれピンが立設され先端部に把手が形成されている操作杆と、を備えたブースタシートであって、前記座面の高さを高くしたときそれに対応させて前記左右のアームレスト間の間隔を狭くし、前記座面の高さを低くしたときそれに対応させて前記左右のアームレスト間の間隔を広くするアームレスト・座面連動機構を備えたブースタシートにおいて、
前記アームレスト・座面連動機構は、前記基台には左右のそれぞれの位置から前後方向へ向けて水平方向に延びる長孔が立設形成され、前記座部材の前記各筒状突起の側面には前後方向へ向けて水平方向に対して傾斜した長孔が立設形成され、前記操作杆が前記基台の中央部前端から前記基台の後方に向けて挿入されると共に前記操作杆の前記前後左右の各ピンが前記基台の水平な長孔と前記座部材の傾斜した長孔の両方の長孔に嵌入され、前記アームレストが前記アームレスト嵌挿孔を嵌挿して前記座部材から上方に立設されて成り、
前記基台に形成されたアームレスト用の軸受部間の距離をＬ１とし、前記座部材に形成されたアームレスト用挿通孔間の距離をＬ２としたとき、
Ｌ１＜Ｌ２で
とすることによって、前記座部材を前記基台に対して上下方向に移動させると前記操作杆のピンを前後方向へ移動させることで前記座部材を前記基台に対して昇降させると共に前記左右のアームレスト間の間隔を自動的に調整することを特徴とするブースタシート。
【発明の詳細な説明】
【０００１】
【発明の属する技術分野】
本発明は、ブースタシートに関するもので、詳しくは、座面の高さ調整に対応してアームレストの間隔調整が自動的に行なわれるブースタシートに関するものである。
【０００２】
【従来の技術】
ブースタシートは、学童等の幼児よりは背丈が大きく、大人よりは背丈が小さい子供を車両の座席に座らせる場合の高さ調整具である。
幼児よりは背丈が大きく、大人よりは背丈が小さい子供（学童）をそのまま車両の座席に着座させた場合には、シートベルトが適正位置に装着されない。そこで、学童を車両の座席に座らせる場合には、ブースタシートを使用し、該ブースタシートを車両の座席と学童の臀部との間に介在させて座席に着座する子供のみかけ上の背丈を高くしている。
【０００３】
【発明が解決しようとする課題】
このようなブースタシートには、子供の体格に合わせるように、アームレストの位置を調節して座面の幅を調整できるようにしたものがあるが、座面の高さは固定されているため、大きな子供の場合には窮屈になり、小さい子供の場合には姿勢が安定しなくなってしまう。
【０００４】
そこで、本発明の目的は、座面の高さとともに、アームレストの幅を変えることができるブースタシートを提供することにある。
【０００５】
【課題を解決するための手段】
上記目的達成のため、請求項１記載のブースタシートは、車両の座席に載置する基台と、座面を有する座部材と、アームレストとを備えたブースタシートにおいて、前記座面の高さを高くしたときそれに対応させて前記アームレスト間の間隔を狭くし、前記座面の高さを低くしたときそれに対応させて前記アームレスト間の間隔を広くするアームレスト・座面連動機構を備えたブースタシートであって、前記アームレスト・座面連動機構が、長手方向に対して直角な方向へ先端に向かって先細に傾斜する楔状ブロックを複数個突設した１対の側部材と、該１対の側部材の上方に形成されたアームレストと、前記楔状ブロックの傾斜に対応した傾斜部を底部に有する座部材と、から構成され、前記１対の側部材を該楔状ブロックが対向するようにかつ該基台の幅方向へ移動可能にそれぞれ前記基台の両側部に設置するとともに、該両側部材の楔状ブロックの上に前記座部材を載置させて成るものであることを特徴としている。
【０００６】
この発明のブースタシートによれば、大きな子供を着座させる場合には、座面が低下するとともにアームレストの間隔が広がり、したがってゆったりと座ることができ、また、小さな子供を着座させる場合には、座面の上昇とともにアームレストの間隔が狭くなり、したがって安定した姿勢を保ことができる。
【０００７】
また、この発明のブースタシートによれば、アームレストを備えた側部材を作動させることによって座部材が機械的に昇降されるので、構造が単純であり、かつ動作が確実に行われる。
【０００８】
さらに、請求項２記載のブースタシートは、車両の座席に載置する基台と、アームレスト嵌挿孔があけられた座面および前記座面の裏側の前後左右４箇所で下方に延設された筒状突起を有する座部材と、前記基台の左右に設けられた軸受部により下端が左右方向に回動自在に支持された左右のアームレストと、側面の前後左右にそれぞれピンが立設され先端部に把手が形成されている操作杆と、を備えたブースタシートであって、前記座面の高さを高くしたときそれに対応させて前記左右のアームレスト間の間隔を狭くし、前記座面の高さを低くしたときそれに対応させて前記左右のアームレスト間の間隔を広くするアームレスト・座面連動機構を備えたブースタシートにおいて、
前記アームレスト・座面連動機構は、前記基台には左右のそれぞれの位置から前後方向へ向けて水平方向に延びる長孔が立設形成され、前記座部材の前記各筒状突起の側面には前後方向へ向けて水平方向に対して傾斜した長孔が立設形成され、前記操作杆が前記基台の中央部前端から前記基台の後方に向けて挿入されると共に前記操作杆の前記前後左右の各ピンが前記基台の水平な長孔と前記座部材の傾斜した長孔の両方の長孔に嵌入され、前記アームレストが前記アームレスト嵌挿孔を嵌挿して前記座部材から上方に立設されて成り、
前記基台に形成されたアームレスト用の軸受部間の距離をＬ１とし、前記座部材に形成されたアームレスト用挿通孔間の距離をＬ２としたとき、
Ｌ１＜Ｌ２で
とすることによって、前記座部材を前記基台に対して上下方向に移動させると前記操作杆のピンを前後方向へ移動させることで前記座部材を前記基台に対して昇降させると共に前記左右のアームレスト間の間隔を自動的に調整することを特徴としている。
【０００９】
この発明のブースタシートによれば、操作杆を前後方向に移動させることによって、座部材を昇降させることができ、かつそれに伴ってアームレスト間の幅が縮拡されるので、操作が極めて容易になり、しかもそれらは機械的な機構によって行われるので、構造が単純であり、かつ動作が確実に行われる。
【００１１】
【発明の実施の形態】
以下、図面に示したブースタシートの実施の形態に基づいて本発明を説明する。図１〜図３は、本発明が適用されるブースタシートの一実施の形態を示したもので、図１はブースタシートの概念的な斜視図、図２はその分解斜視図、図３（ａ）、（ｂ）は作用を説明するための図である。
この実施の形態のブースタシート１０は、自動車のシート上に載置、固定される基台１１と、学童が座って肘をのせるアームレスト１２ａ、１３ａを備えた側部材１２、１３と、学童が座る座面１４ａを備えた座部材１４とによって構成されている。
【００１２】
図２に示したように、基台１１には、両側面に切欠き１５、１５が形成され、それらの切欠き１５、１５間に、該切欠き１５、１５と同一面のガイド面１６が形成されている。
側部材１２の一方側面には複数本の楔状ブロック１７が等間隔に突設されており、側部材１３の他方面にも複数本の楔状ブロック１８が等間隔に突設されている。各楔状ブロック１７、１８は先端に向かって先細に傾斜している。
また、座部材１４は前面にスカート部１９を備えており、下面には上記楔状ブロック１７、１８の傾斜に対応した傾斜を有するＶ字状面１４ｂを備えている。
【００１３】
そして、基台１１の一方の切欠き１５には外方から側部材１２の楔状ブロック１７が挿入され、基台１１の他方の切欠き１５には外方から側部材１３の楔状ブロック１８が挿入され、それらの楔状ブロック１７は相手側の楔状ブロック１８、１８の間隙に嵌入され、楔状ブロック１８は相手側の楔状ブロック１７、１７の間隙に嵌入される。そして、それらの楔状ブロック１７、１８には座部材１４が載置される。
【００１４】
このように構成されたブースタシート１０では、図３（ａ）に示したように、アームレスト１２ａ、１３ａの間隔が最大の幅Ｗ１であり、その際の座面１４ａの高さは最低高さＨ１である。
この状態から、両側部材１２、１３を互いに近づけると、楔状ブロック１７、１８の傾斜面によって座部材１４が押し上げられる。そして、アームレスト１２ａ、１３ａの間隔が幅Ｗ２（Ｗ２＜Ｗ１）になると、それに伴って、座面１４ａの高さはＨ２（Ｈ２＞Ｈ１）になる。
【００１５】
なお、上記動作は、基本動作を示したもので、各動作を確実に行わせるには、座部材１４の昇降は前後左右にずれることなく所定位置で行われなくてはならない、したがって、そのための適宜な位置決め手段、例えば、図２に示したように、スタッドボルト２０を使用し、該スタッドボルト２０を座部材１４に挿通させ、先端を基台１１に螺合させて、座部材１４を昇降可能に、かつ幅方向および前後方向の移動を規制する等の手段を備えることが好ましい。なお、スタッドボルト２０にスプリング２１を巻装させて、座部材１４を基台１１の方向へ付勢すれば、座部材１４ががたつくことなく、楔状ブロック１７、１８に当接するので好ましい。
また、楔状ブロック１７、１８は、その移動された位置で、ロックされることが好ましい。したがって、ロックする機構、例えば、図４に示したように、楔状ブロック１７、１８の側面に突起２２を形成するとともに、基台１１のガイド面１６に複数個の突起２３を適宜間隔に設置し、突起２３、２３間に突起２２を係合させることによって、楔状ブロック１７、１８をそこに係止させる等の機構を備えることが好ましい。
また、楔状ブロック１７、１８の各移動量は、同じであることが好ましい。したがって、楔状ブロック１７、１８の連係手段、例えば、図５に示したように、楔状ブロック１７、１８の底面にラック２４、２５を平行に配設し、それらのラック２４、２５に基台１１に配設したピニオン２６をそれぞれ噛合させる等の段を備えることが好ましい。
【００１６】
図６〜図９は、本発明が適用されるブースタシートの他の実施の形態を示したもので、図６はその斜視図、図７はその分解斜視図、図８（ａ）、（ｂ）および図９（ａ）、（ｂ）は作用を説明するための図である。
この実施の形態のブースタシート３０は、座面３１ａを備えた座部材３１と、基台３２と、アームレスト３３、３３と、操作杆３４とによって構成されている。
【００１７】
座部材３１は、下面に４つの直方体形の筒状突起３５を備えており、それらの筒状突起３５の側面には傾斜した長孔３６が形成されている。また、この座部材３１の座面３１ａの側部には２つの孔３７が形成されている。
基台３２には、座部材３１の筒状突起３５を収容するための４つの孔３８が基台３２の上面に、形成されている。そして、それらの孔３８の側面には、略水平な長孔３９が形成されている。
また、アームレスト３３は、該アームレスト３３の長手方向と同方向に延設された軸４０を下部に備えている。
そして、操作杆３４は、各２本のピン４１を側面に備えており、先端部に把手４２が形成されている。
【００１８】
そして、基台３２の上部には座部材３１が被せられ、該座部材３１の各筒状突起３５が基台３２の各孔３８に挿入される。そして、基台３２の中央部には、前端から操作杆３４が挿入され、操作杆３４のピン４１が基台３２の長孔３９、座部材３１の長孔３６にそれぞれ挿入される。さらに、基台３２に形成された軸受部４３（図１参照）には、座部材３１の孔３７に挿入したアームレスト３３の軸４０が各々嵌入される。
【００１９】
このように構成されたブースタシート３０では、操作杆３４を手前方向また後方へ移動させると、操作杆３４のピン４１が基台３２の長孔３９内を移動する。図８（ａ）は、ピン４１が長孔３９の一端に位置している（操作杆３４を最も後方へ押し込んでいる）状態を示している。この場合には、座部材３１は最も下方に位置している。
ここで、操作杆３４を手前に引出すと、操作杆３４のピン４１は基台３２の長孔３９内を移動する。それに伴って、座部材３１はピン４１によって、上方へ押し上げられる。そして、操作杆３４のピン４１が、図８（ｂ）に示したように、長孔３９の他端に移動すると、座部材３１は最も上昇される。
【００２０】
なお、図８（ａ）、（ｂ）に示した長孔３６には、半円形の切欠き３６ａが形成されている。これは、座部材３１を所定高さにロックするためのもので、操作杆３４のピン４１を長孔３９の適宜箇所に位置させた状態で、座部材３１に押し下げる方向の力を加えると、操作杆３４のピン４１を図８（ａ）、（ｂ）における右方向へ移動させながら座部材３１が降下し、座部材３１の直ぐ上に位置する切欠き３６ａに係合してそこにロックされる。このようなロック機構に替えて、操作杆３４をロックするような機構を採用してもよい。
【００２１】
また、アームレスト３３は、座部材３１が降下した状態にあるとき、図９（ａ）に示したように、外側へ向けて大きく傾斜している。このときの座面３１ａの高さをＨ１とし、アームレスト３３、３３の幅をＷ１とする。そして、座部材３１が上昇すると、座部材３１の孔３７によって、アームレスト３３は直立方向へ移動され、図９（ｂ）に示したように、座面３１ａの高さはＨ２（Ｈ２＞Ｈ１）となり、アームレスト３３、３３間の幅はＷ２（Ｗ２＜Ｗ１）となる。
この場合には、アームレスト３３、３３間の幅は、座部材３１が上昇するのに伴って小さくする必要があるため、Ｌ１＜Ｌ２の条件が必要である。
ただし、
Ｌ１＝基台３２に形成されたアームレスト３３、３３用の軸受部４３、４３間の距離、
Ｌ２＝座部材３１に形成されたアームレスト３３、３３の挿通孔３７、３７間の距離、である。
【００２２】
なお、上記実施の形態では、アームレスト３３を基台３２に回動自在に保持させ、座部材３１の孔３７によって、アームレスト３３を作動させているが、例えば、アームレスト３３を座部材３１に回動自在に保持させるとともに、該アームレスト３３をリンクを介して基台３２に連結する等の他の機構を採用しても、アームレスト３３を座部材３１の昇降動作に連動させることができる。
【００２３】
【発明の効果】
以上説明したように、本発明の請求項１記載のブースタシートは、座面の高さを高くしたときそれに対応させて前記アームレスト間の間隔を狭くし、前記座面の高さを低くしたときそれに対応させて前記アームレスト間の間隔を広くするアームレスト・座面連動機構を備えたことを特徴としているので、大きな子供を着座させる場合に座面を低下させると、これに伴ってアームレストの間隔が広がるようになるので、ゆったりと座ることができるようになる。逆に、小さな子供を着座させる場合には、座面の上昇とともにアームレストの間隔が自動的に狭くなり、したがって安定した姿勢を保ことができる。
また、そのアームレスト・座面連動機構を、具体的に、長手方向に対して直角な方向へ先端に向かって先細に傾斜する楔状ブロックを複数個突設した１対の側部材と、該１対の側部材の上方に形成されたアームレストと、前記楔状ブロックの傾斜に対応した傾斜部を底部に有する座部材と、から構成し、その場合、前記１対の側部材を該楔状ブロックが対向するようにかつ該基台の幅方向へ移動可能にそれぞれ前記基台の両側部に設置するとともに、該両側部材の楔状ブロックの上に前記座部材を載置させているので、アームレストを備えた側部材同士の間隔を拡縮させることによって座部材が機械的に昇降し、しかもこれが単純な構造で、かつ動作が確実に行われることができる。
さらに、また、アームレスト・座面連動機構を、前後方向へ向けて略水平な長孔を形成した基台と、前後方向へ向けて傾斜した長孔を形成した座部材と、これらの長孔に嵌入されるピンを有する操作杆と、アームレストと、から構成し、そして前記座部材を前記基台に対して上下方向にのみ移動可能に設置し、該操作杆のピンを前後方向へ移動させることによって前記座部材を前記基台に対して昇降させるとともに、前記アームレストを前記座部材の孔を経て嵌挿させかつアームレストの下端を前記基台に回動自在に支持させ、その際、基台に形成されたアームレスト用の軸受部間の距離をＬ１とし、前記座部材に形成されたアームレスト用挿通孔間の距離をＬ２としたとき、Ｌ１＜Ｌ２としているので、その操作杆を前後方向に移動させることによって、座部材を昇降させかつそれに伴ってアームレスト間の幅を縮拡でき、しかもその操作が極めて容易に、かつ機械的に簡単な機構によって、かつ動作が確実に行われることとなる。
【図面の簡単な説明】
【図１】本発明に係るブースタシートの一実施の形態を示した概念的な斜視図である。
【図２】図１に示したブースタシートの分解斜視図である。
【図３】図１に示したブースタシートの作用を説明するための図であり、図３（ａ）は、座部材が降下している状態を示し、図３（ｂ）は、座部材が上昇している状態を示している。
【図４】図１に示したブースタシートのロック手段の一例を示した要部斜視図である。
【図５】図１に示したブースタシートの相対向する楔状ブロックの連係手段を示した部分斜視図である。
【図６】本発明に係るブースタシートの他の実施の形態を示した概念的な斜視図である。
【図７】図６に示したブースタシートの分解斜視図である。
【図８】図６に示したブースタシートの作用を説明するための図であり、図８（ａ）は、座部材が降下している状態を示し、図８（ｂ）は、座部材が上昇している状態を示している。
【図９】図６に示したブースタシートの作用を説明するための図であり、図９（ａ）は、アームレスト間が大きく開いた状態を示し、図９（ｂ）は、アームレスト間が狭まった状態を示している。
【符号の説明】
１０        ブースタシート
１１        基台
１２、１３  側部材
１２ａ、１３ａ  アームレスト
１４        座部材
１４ａ      座面
１５        切欠き
１６        ガイド面
１７、１８  楔状ブロック
１９        スカート部
２０        スタッドボルト
２１        スプリング
２２、２３  突起
２４、２５  ラック
２６        ピニオン
３０        ブースタシート
３１        座部材
３１ａ      座面
３２        基台
３３        アームレスト
３４        操作杆
３５        筒状突起
３６        長孔
３６ａ      切欠き
３７、３８  アームレスト用挿通孔
３９        長孔
４０        軸
４１        ピン
４２        把手
４３        アームレスト用軸受部
Ｌ１        アームレスト用軸受部間の距離
Ｌ２        アームレスト用挿通孔間の距離
【図１】
0004338277.tif 000002
【図２】
0004338277.tif 000003
【図３】
0004338277.tif 000004
【図４】
0004338277.tif 000005
【図５】
0004338277.tif 000006
【図６】
0004338277.tif 000007
【図７】
0004338277.tif 000008
【図８】
0004338277.tif 000009
【図９】
0004338277.tif 000010